【事件の表示】
　平成　９年特許願第２１５８７７号「パチンコ用カードの偽造防止システム」拒絶査定に対する審判事件［平成１１年　２月１６日出願公開、特開平１１−　４２３６３］について、次のとおり審決する。
【結　論】
　本件審判の請求は、成り立たない。
【理　由】
１．手続の経緯、本願発明の要旨
　本願は、平成９年７月２５日の出願であって、その発明の要旨は、平成１３年９月３日付の手続補正書により補正された明細書及び図面の記載からみて、その特許請求の範囲の請求項１乃至３に記載された「パチンコ用カードの偽造防止システム」にあると認められるところ、その請求項１に記載された発明（以下、「本願発明」という。）は次のとおりのものである。
　「コンピュータ内蔵の各パチンコ台と、使用許可されたパチンコ用カードが挿入されたコンピュータ内蔵のパチンコ台を動作させ、使用禁止されたパチンコ用カードが挿入されたコンピュータ内蔵のパチンコ台を動作停止するメインコンピュータとを備えるパチンコ用カードの偽造防止システムにおいて、パチンコ用カードの使用承認のためにそれを受け付けて、定期的に変えるパスワードを、パチンコ用カードを挿入する毎にパチンコ用カードに入力してパチンコ用カードの使用を承認する受付機を備え、前記コンピュータ内蔵の各パチンコ台は、前記受付機によりパスワードが入力されたパチンコ用カードの入力パスワードを読み取るパスワード読取手段と、該パスワード読取手段で読み取った入力パスワードと予め該入力パスワードに対応させて定期的に変える照合パスワードとを照合し、カードの正否を判別する比較判別手段と、該比較判別手段により正と判別されたパチンコ用カードの使用を許可し、否と判別されたパチンコ用カードの使用を禁止する許可禁止手段とを有し、前記受付機で受け付けて承認されたパチンコ用カードのみを使用可能にすることにより偽造カードの使用を防止するように構成したことを特徴とするパチンコ用カードの偽造防止システム。」
　　　　　　　
２．引用刊行物に記載の発明　
　（１）特開平８−１９６５１号公報に記載の発明
　　i．当審において平成１３年６月２５日付けで通知した拒絶の理由に引用した刊行物である、特開平８−１９６５１号公報（以下、「刊行物１」という。）には、以下の記載が認められる。
　「【請求項２】　遊技場で記録媒体を用いて遊技媒体に交換し、遊技を行うカード遊技システムであって、期間ごとに変わる暗号を記録媒体に記録して販売する販売装置と、現在の期間の暗号と、前記記録媒体に記録された暗号が一致した場合にのみ遊技媒体に交換する交換装置と、現在の期間よりも前に販売された記録媒体に記録された暗号を、少なくとも目視検査を行なった後に現在の期間の暗号に更新する更新装置と、を有することを特徴とするカード遊技システム。」（刊行物１第２頁第１欄第１３〜２２行）、
　「【０００１】【産業上の利用分野】本発明は、パチンコ遊技場等の遊技場において、プリペイドカードやＩＣカード等のような記録媒体を用いて遊技媒体に交換し、遊技を行うための技術に関する。」（同第２頁第１欄第２４〜２８行）、
　「【０００９】【実施例】以下、本発明の一実施例を図面に基づいて説明する。なお、本実施例では説明を簡単にするために、日ごとに暗号２２の内容が変わり、記録媒体２０には図７等に示すプリペイドカード２００を適用し、パチンコ遊技場でプリペイドカード２００を使用してパチンコ球に交換して遊技する場合におけるカード遊技システムについて説明する。
【００１０】図２は、カード遊技システムの概略的な全体ブロック図である。図において、カード遊技システムは大きく分けて、カード販売機１００、セキュレータ３００およびカード媒体交換機５００によって構成されている。
【００１１】ここで、カード販売機１００は販売装置１０の一つであって、プリペイドカード２００を販売する装置である。このカード販売機１００は、制御部１０２、記憶部１０４、入力部１０６、発行部１０８および通信部１１２によって構成されている。同様に、セキュレータ３００は更新装置４０の一つであって、プリペイドカード２００に記録された暗号データ（暗号２２の一つである。以下、本明細書において同様とする。）を更新する装置である。このセキュレータ３００は、制御部３１２、記憶部３０２、入力部３０４、読取部３０６、記録部３０８、表示部３１０、通信部３１６および拡大部３１４によって構成されている。さらに、カード媒体交換機５００は交換装置３０の一つであって、パチンコ球に交換する装置である。このカード媒体交換機５００は、制御部５１２、記憶部５０２、読取部５０４、入力部５０６、交換部５０８、撮影部５１０および通信部５１４によって構成されている。」（同第３頁第３欄第４〜３３行）、
　「【００１５】カード遊技システムの具体的な接続構成を図３と図４に示す。図３は平面図であり、図４は斜視図である。図３において、一般的に、複数の島８００がパチンコ遊技場内に設けられている。この島８００は、複数のパチンコ機７００と球貸し操作機６５０を交互に整列して設置するための設備である。また、一つの島８００には一つの球貸し制御機６００が設けられており、島内に設けられた複数の球貸し操作機６５０を一括して管理する。ここで、球貸し操作機６５０は遊技者がプリペイドカード２００でパチンコ球に交換するための操作機械である。そして、島８００ごとに設けられた球貸し制御機６００は、それぞれセキュレータ３００と電気的に接続されている。同様に、カード販売機１００もセキュレータ３００と電気的に接続されている。」（同第３頁第４欄第２５〜３８行）、
　「【００２８】ボタンが押されると、カード販売機１００は、セキュレータ３００に対して当日の暗号データを送信するように要求する（ステップＳ１４）。具体的には、要求信号はＣＰＵ１６０から通信回路１５６を介して、セキュレータ３００の通信回路３７０を通じてＣＰＵ３６０に送る。一方、セキュレータ３００は上記の要求信号を受信すると（ステップＳ３０）、当日の暗号データを送信する（ステップＳ３２）。具体的にはステップＳ１４とは逆に、暗号データはＣＰＵ３６０から通信回路３７０を介して、カード販売機１００の通信回路１５６を通じてＣＰＵ１６０に送る。
【００２９】そして、カード販売機１００がセキュレータ３００から当日の暗号データを受けると（ステップＳ１６）、プリペイドカード２００に暗号データを記録し（ステップＳ１８）、新しいプリペイドカード２００を遊技者に発行する（ステップＳ２０）。なお、記録される暗号データは、更新可能な暗号（あるいは期間ごとに変わる暗号）である。具体的には、ＣＰＵ１６０から当日の暗号データを出力処理装置１６８を通じてカード記録装置１８４に送り、プリペイドカード２００に記録する。その後、ＣＰＵ１６０から発行信号を出力処理装置１６８を通じてカード発行装置１８２に送り、プリペイドカード２００を遊技者に発行する。
【００３０】こうしてカード販売機１００によって発行されたプリペイドカード２００の一例を、図７（Ａ）に示す。図７（Ａ）は、暗号２２の一つである暗号データ２１０をバーコードを印刷したシールを表面と裏面の少なくとも一面上に貼付したプリペイドカード２００の外観図である。なお、プリペイドカード２００の表面と裏面の少なくとも一面上に暗号データ２１０を記録する領域を「暗号記録領域」と呼ぶ。この暗号データ２１０の構成の一例を、図７（Ｂ）に示す。すなわち、暗号データ２１０は、カード販売機１００が設けられている販売店名２１２、販売日時２１４およびキーワード２１６によって構成されている。」（同第５頁第７欄第３７行〜第８欄第２１行）、
　「【００４２】図１３に示す処理手順は図５に示すカード記録装置３８４において実行され、以下に示す検査を順番に行う。まず、プリペイドカード２００に記録された暗号データ２１０を読み取る（ステップＳ８０）。もし、暗号データ２１０が記録されていない（ステップＳ８２のＮＯ）ならば、そのプリペイドカード２００を回収した後（ステップＳ９４）、本処理手順を終了する。一方、暗号データ２１０が記録されている（ステップＳ８２のＹＥＳ）ならば、暗号確認ボタン３３４を押して、暗号データ２１０を表示装置３６４（具体的には、図９に示す暗号データ表示器３３６）に表示する（ステップＳ８４）。
【００４３】そして、オペレータが表示された暗号データ２１０の内容をチェックし、当日の暗号データの内容と一致している場合には（ステップＳ９０のＹＥＳ）、本処理手順を終了する。一方、表示された暗号データ２１０と当日の暗号データが一致していない場合には（ステップＳ９０のＮＯ）、暗号登録ボタン３４０を押し、新たに当日の暗号データ｛すなわち、パチンコ遊技場で有効な暗号｝をプリペイドカード２００に記録した後（ステップＳ９２）、本処理手順を終了する。こうして、プリペイドカード２００を当日にパチンコ遊技場で使用できる状態にする。その後、再び図１０に戻り、新たに暗号データを記録したプリペイドカード２００を排出し（ステップＳ５８）、オペレータはそのプリペイドカード２００を遊技者に渡す。」（同第７頁第１１欄第３３行〜第１２欄第８行）、
　「【００４４】・・・また、暗号データ２１０の内容を期間ごとに（例えば、日ごとに）変えながら設定することにより、この設定された暗号データ２１０が記録されていないプリペイドカード２００は使用することができないので、偽造や変造されたプリペイドカードの使用を未然に防止することができる。この場合、日ごとに変えるだけでなく、例えば午前と午後、あるいは週や月ごとに変えるように、同一内容の暗号データ２１０が使用できる期間を変えれば、さらに偽造や変造がしにくくなり、より安全性が高まる。」（同第７頁第１２欄第１７〜２６行）、
　「【００４６】そして、セキュレータ３００に挿入したプリペイドカード２００は、カード戻しボタン３２６を押して返却するか、あるいは暗号登録ボタン３４０を押して記録後に排出しない限り、遊技者に返却せずにセキュレータ３００に回収するように構成したので、偽造や変造したプリペイドカードが不正に使用されるのを防止することができる。」（同第７頁第１２欄第４１〜４７行）、
　「【００４８】次に、カード媒体交換機５００の具体的な構成と、その処理手順について図１４乃至図１７を参照しつつ説明する。図１４は、カード遊技システムにおけるセキュレータ３００とカード媒体交換機５００の構成を示すブロック図であって、本発明を実施するために必要な最小限の構成を示す。なお、カード媒体交換機５００は球貸し制御機６００と球貸し操作機６５０によって構成されている。また、図５と同一の要素には同一番号を付し、説明を省略する。図１４において、球貸し制御機６００は、ＣＰＵ６１０、ＲＯＭ６０２、ＲＡＭ６０４、入力処理回路６０６、出力処理回路６０８、表示制御回路６１２、表示装置６１４および通信回路６１６によって構成されている。また、球貸し操作機６５０は、ＫＥＹ６５２とカード読取装置６５４によって構成されている。」（同第８頁第１３欄第１８〜３２行）、
　「【００５３】まず、遊技者は球貸し操作機６５０のカード挿入口にプリペイドカード２００を挿入すると（ステップＳ１００）、挿入されたプリペイドカード２００に記録された暗号データ２１０と残金額をカード読取装置６５４が読み取り（ステップＳ１０６）、入力処理回路６０６を通じて球貸し制御機６００のＣＰＵ６１０に送る。
【００５４】カード読取装置６５４から暗号データ２１０を受けると、セキュレータ３００に対して当日の暗号データを送信するように要求する（ステップＳ１０８）。具体的には、要求信号はＣＰＵ６１０から通信回路６１６を介して、セキュレータ３００の通信回路３５６を通じてＣＰＵ３６０に送る。一方、セキュレータ３００は上記の要求信号を受信すると（ステップＳ１３４）、当日の暗号データを送信する（ステップＳ１３６）。具体的にはステップＳ１０８とは逆に、暗号データ２１０はＣＰＵ３６０から通信回路３５６を介して、球貸し制御機６００の通信回路６１６を通じてＣＰＵ６１０に送る。
【００５５】そして、カード読取装置６５４から送られた暗号データ２１０の内容と、セキュレータ３００から送られた当日の暗号データの内容が一致しているかどうかを検査する（ステップＳ１１０）。もし、二つの暗号データの内容が一致していない（ＮＯ）ならば、球貸し操作機６５０に挿入されたプリペイドカード２００に異常があると判断して異常表示を行う（ステップＳ１１８）。その後、プリペイドカード２００を排出し（ステップＳ１２２）、本処理手順を終了する。この異常表示は、表示灯６７０を点灯させ、および／または、図１６に示すような「球貸しユニットＮo.１２３で異常が発生しました。」というメッセージを図１４に示す表示装置６１４に表示する。なお、表示画面６１４ａは表示装置６１４に表示される画面である。このように、異常が発生した球貸し操作機６５０固有の番号を知らせることで、その球貸し操作機６５０が設置されている場所へホール内管理者がすぐに行き、対応措置を行うことができる。」（同第８頁第１４欄第３２行〜第９頁第１５欄第１８行）、
　「【００６３】上記のように各機器が構成されているので、図１９に示すような順序に従ってパチンコ機７００の横に設けられている球貸し操作機６５０でパチンコ球に交換し、遊技を行うことができる。すなわち、当日に遊技者がカード販売機１００で購入した場合には、矢印Ｄ１に示すように、直接球貸し操作機６５０へ行ってパチンコ球に交換することができる。
【００６４】なお、正規のプリペイドカード２００であっても、前日以前に遊技者がカード販売機１００で購入した場合や、他店等のようにプリペイドカード２００を使用するパチンコ遊技場以外で購入した場合には、まず矢印Ｄ２に示すようにセキュレータ３００のある受付（景品交換所）へ行き、暗号データ２１０を記録した後でなければ、矢印Ｄ３に示すように球貸し操作機６５０へ行ってパチンコ球に交換することができない。したがって、偽造や変造されたプリペイドカードを直接球貸し操作機６５０で使用してパチンコ球に交換しようとしても、上述した形状検査処理や暗号データ２１０の一致検査、さらには人間の目視検査によって発見することができる。また、セキュレータ３００で集中的に球貸し操作機６５０を監視することができる。」（同第１０頁第１７欄第５〜２５行）、
　「【００７３】また、暗号データ２１０の内容には販売店名２１２や販売日時２１４およびキーワード２１６を記録したが、シリアル番号等のように、偽造や変造された記録媒体２０が確実に排除されるような他の内容を記録するようにしてもよい。記録媒体２０に一般的でない内容を記録すれば偽造や変造も行いにくくなり、偽造や変造された記録媒体の使用が未然に防止できる。さらに、暗号データ２１０はパチンコ遊技場で使用する当日の暗号データのみを記録するように構成したが、例えば１ヶ月間等のように、所定の期間分の暗号データ２１０を１回で記録するように構成してもよい。この記録方式では、記録媒体２０の所有者（すなわち遊技者）は遊技場で使用する当日ごとにセキュレータ３００で更新を行わなくて済むので、利用度が増加する。」（同第１１頁第１９欄第１４〜２７行）。
　　　　
　ii．これらの記載及び図面第１乃至１９図によれば、刊行物１には、以下の発明（以下、「引用発明」という。）が記載されているものと認められる。
　「各パチンコ機７００と、複数のパチンコ機７００が設置される島ごとに、使用許可されたプリペイドカード２００が挿入されたカード読取装置６５４を備える球貸し操作機６５０とＣＰＵ６１０内蔵の球貸し制御機６００とからなる媒体交換機５００においては所定の遊技媒体の払い出しを行い、使用禁止されたプリペイドカード２００が挿入された前記媒体交換機５００においては所定の遊技媒体の払い出しを行うことなく異常表示とプリペイドカード２００の排出を行うプリペイドカードの偽造防止システムにおいて、プリペイドカード２００の使用承認のために期間ごとに変わる暗号をセキュレータ３００から受けてプリペイドカード２００に入力して販売するカード販売機１００と、プリペイドカード２００の使用承認のためにそれを受け付けて、期間ごとに変わる暗号を、プリペイドカード２００を挿入する毎にプリペイドカード２００に入力してプリペイドカード２００の使用を承認するセキュレータ３００を備え、前記媒体交換機５００は、前記カード販売機１００又は前記セキュレータ３００により暗号が入力されたプリペイドカード２００の入力暗号を読み取るカード読取装置６５４と、該カード読取装置６５４で読み取った暗号と予め該入力暗号に対応させて期間ごとに変わる照合暗号とを照合し、カードの正否を判別するとともに、正と判別されたプリペイドカード２００の使用を許可し、否と判別されたプリペイドカード２００の使用を禁止するＣＰＵ６１０内蔵の球貸し制御機６００とを有し、前記カード販売機１００又は前記セキュレータ３００のいずれかで承認されたプリペイドカード２００を使用可能にすることにより偽造カードの使用を防止するように構成したことを特徴とするプリペイドカードの偽造防止システム。」
　　　　
　（２）特開平８−６６５３８号公報に記載の発明
　　当審において平成１３年６月２５日付けで通知した拒絶の理由に引用した刊行物である、特開平８−６６５３８号公報（以下、「刊行物２」という。）には、以下の記載が認められる。
　「【請求項１】中央制御装置と、貸球数（残球数）等を記入したカードを発行するカード発行機と、カードに記入された残球数を精算するカード精算機と、カードリードライト装置を備え且つ所定数の遊技球を循環使用して発射し、カードに記入された残球数に対して発射数を減算しファウル球数と賞品球数を加算演算する制御部を有するパチンコ機とで構成されるカード式パチンコ機の制御装置において、前記中央制御装置はカード発行機で発行したカードの内容とパチンコ機で排出するカードの内容とを記憶し、該内容を前記パチンコ機及び精算機で照合できるようにしたことを特徴とするカード式遊技機の制御装置。」（刊行物２第２頁第１欄第２〜１３行）、
　「【０００６】【実施例】本発明の実施例を、遊技機の一例としてパチンコ機について行う。図１は本発明のカード式パチンコ機の制御装置の全体図、図２は制御ブロック図を示し、４００は中央制御装置、４００ａは中央制御装置４００に付随する記憶器、４００ｂはモニター、４００ｃはキーボード、４００ｄはプリンター、１００（１００ａ、１００ｂ）はカード発行機、２００はカード精算機、１はパチンコ機を示している。又、カード発行機１００ａとカード精算機２００はシリーズの回線４０３ａで、２台目のカード発行機１００ｂは単独回線４０３ｂで、又、複数台のパチンコ機１は所謂「島」に設置してあるパチンコ機１を単位としてシリーズに接続された回線４０４ａ、４０４ｂ…介して中央制御装置４００と接続されている。その為、従来のように中央制御装置と各パチンコ機或はカード発行機やカード精算器とを各々個別に接続する方法でないため、回線本数が少なくて経済的である。」（同第３頁第４欄第２１〜３８行）、
　「【０００９】・・・カード１０１にはカードリードライト装置１１０で図６で示す内容が書込まれる。尚、カード１０１は磁気カードを使用し、先ず先頭コードが書込まれる。次にカードステータス信号として貸球押釦（１０７ａ〜１０７ｄ）に対応するデータとリモート時の発行かローカル時の発行かの区別信号、そして不正防止策の１つとしてダミーコードと発行順を示す番号を書込む。そして、発行年、月、日、時、分、秒、そして前記貸球押釦（１０７ａ〜１０７ｄ）に対応する貸球数（残球数）、最後にチェックコード（パリティー）を書込む。尚、前記各コードの不正防止のため、前記の各コードを１０進化２進数（バイナリーコード）とし、且つ適宜に係るデータを並び替えて書込んである。例えば、３月２５日は「００１１００１００１０１」で表し、並び替えは左から４ビット目が先頭になるように「１００１００１０１００１」にする。勿論、並び替えの方法は各カードによって異なって行った方がよいが、本実施例では簡便な方法として同じ方式で行っている。尚、各カード毎に異なる並び替えを行う場合には、各カードの並び替えの手順を中央制御装置４００で記憶しておき、カード発行機１００及びパチンコ機１はその都度中央制御装置４００から並び替えの情報を得て解読できるように構成する。又、他の防止方式として、前記入力データに対応する暗号を用いて、例えば、データ１に対して９、２に対して６の様に対応させてデータを作成する。又、該暗号を日時によって異にしたり、更に前記した様に並び替えを行う等によって更に不正カードの作成を困難とすることもできる。この様に、ダミーコードの採用やデータの暗号化やデータの並び替え等によって、カードの解読には多くの時間を要し不正防止となる。更には、係るカード１０１のデータは通信制御部１３３を介して中央制御装置４００に送られ記憶されていて、パチンコ機１で使用する場合に照合されて不正防止を図っている。尚、書き終ったカード１０１は前記釣銭と共にカード排出口１０９から排出される。」（同第４頁第６欄第１３〜４７行）、
　「【００１４】図９はパチンコ機１の制御ブロック図を示し、パチンコ機制御部９０は前記各機器の入出力の他に、図柄表示装置１８や特別入賞時等の制御をする遊技制御部９９からの入賞１、入賞２、特別入賞となったときの信号や発射モータ３７の起動停止を行う発射モータ制御装置９５とＩ／Ｆカードを介して接続されている。又、パチンコ機制御部９０は通信制御部９１を介して中央制御装置４００と接続され必要なデータの授受を行い、停電に備えて電源監視部９２を備えていて、停電時にはバッテリー９４によって停電保護付きメモリ９３が作動するように構成されている。図１０はパチンコ機１に付随するカードリードライト装置３０の概念を示す図であって、カード口３１から挿入されたカード１０１は上下左右に配設された一対の正逆回転可能な回転駆動源６０で回転するベルト６１を介して挿入排出され、リードライトヘッド６３で書込みと読み取りが行われる。尚、６４は没収したカードの受け箱である。
【００１５】前記構成に係るカード式パチンコ機の動作について説明する。カード１０１をカード口３１から挿入すると、回転駆動源６０を介して挿入されてリードライトヘッド６３で内容が読みとられ、該読みとられたカード１０１の内容は、前記カード発行機１００でコードが並び替えられているため元の状態に戻す。読みとられたカード１０１の内容は図１１のフローに従って正規のカードか否か等を判断する。先ず、カードの内容の発行年月日の照合を行う（ステップ１）。合致している場合にはステップ２へ進み、残球数が０か否かを判断する。０の場合には、不正カードのランプ３４を点灯してカードを返却する（ステップ５）。尚、照合は中央制御装置４００に問い合わせて照合することもできるが、迅速に対処するためにパチンコ機制御部９０で行い、係る年月日の情報は、中央制御装置４００が起動した後に、各パチンコ機制御部９０の特定データエリアに記憶しておく。次に、カードの発行番号と残球数の照合を行う。係るデータは、カードが発行された直後はカード発行機２００から、他のパチンコ機１で遊技が終了した段階ではパチンコ機１から中央制御装置４００にデータを送っているため、係るデータと照合を行う。照合した結果、一致したときには遊技を開始できるように、発射モータ制御部を介して発射モータの起動を行う（ステップ４）。反対に、一致しないときには、不正カードのランプ３４を点灯してカードを返却する（ステップ５）。」（同第５頁第８欄第２８行〜第６頁第９欄第１９行）。
　　　　　
３．本願発明と引用発明との対比検討
　（１）本願発明と引用発明との対比
　本願発明と引用発明とを対比すると、引用発明における、「パチンコ機７００」、「プリペイドカード２００」、「期間ごとに変わる暗号」、「セキュレータ３００」、「カード読取装置６５４」、「ＣＰＵ６１０内蔵の球貸し制御機６００」は、それぞれ、本願発明における、「コンピュータ内蔵のパチンコ台」、「パチンコ用カード」、「定期的に変えるパスワード」、「受付機」、「パスワード読取手段」、「比較判別手段と許可禁止手段」に相当する。
　また、引用発明における「カード読取装置６５４を備える球貸し操作機６５０とＣＰＵ６１０内蔵の球貸し制御機６００とからなるカード媒体交換機５００」は、パチンコ用カードに入力されたパスワードを読み取り、照合パスワードと一致した場合にプリペイドカード２００の使用を許可し、一致しない場合にプリペイドカード２００の使用を禁止するものであるから、本願発明における「パスワード読取手段と比較判別手段と許可禁止手段とを有するコンピュータ内蔵のパチンコ台」と対比して、「パスワード読取手段と比較判別手段と許可禁止手段とを有する、パチンコ台に配備されるコンピュータ内蔵の制御機」において一致する。
　そうすると、本願発明と引用発明とは、以下の点でそれぞれ、一致ならびに相違するものと認められる。
　一致点．「パチンコ台に配備されるコンピュータ内蔵の制御機とを備えるパチンコ用カードの偽造防止システムにおいて、パチンコ用カードの使用承認のためにそれを受け付けて、定期的に変えるパスワードを、パチンコ用カードを挿入する毎にパチンコ用カードに入力してパチンコ用カードの使用を承認する受付機を備え、前記コンピュータ内蔵の制御機は、前記受付機によりパスワードが入力されたパチンコ用カードの入力パスワードを読み取るパスワード読取手段と、該パスワード読取手段で読み取った入力パスワードと予め該入力パスワードに対応させて定期的に変える照合パスワードとを照合し、カードの正否を判別する比較判別手段と、該比較判別手段により正と判別されたパチンコ用カードの使用を許可し、否と判別されたパチンコ用カードの使用を禁止する許可禁止手段とを有し、前記受付機で受け付けて承認されたパチンコ用カードを使用可能にすることにより偽造カードの使用を防止するように構成したパチンコ用カードの偽造防止システム。」
　　　　
　相違点Ａ．パチンコ用カードの正否の判別を、本願発明では、パスワード読取手段と比較判別手段と許可禁止手段とを有するコンピュータ内蔵の各パチンコ台が行うのに対し、引用発明では、パチンコ遊技用のコンピュータ内蔵のパチンコ台とは別体で島ごとに設置されるコンピュータ内蔵の専用制御機であるカード媒体交換機５００が行う点、
　相違点Ｂ．パチンコ用カードの使用許可又は使用禁止に応じて、本願発明では、対応するパチンコ台の動作又は動作停止を制御するメインコンピュータを備えるのに対し、引用発明では、対応するパチンコ台を動作又は動作停止するように制御するメインコンピュータを備えていない点。
　相違点Ｃ．本願発明では、受付機で受け付けて承認されたパチンコ用カードのみを使用可能にするのに対し、引用発明では、カード販売機１００又は受付機のいずれかで承認されたパチンコ用カードを使用可能にする点。
　　　　
　（２）相違点の検討
　i．相違点Ａについて
　刊行物２には、前記２（２）に摘示の記載及び図１乃至１１によれば、パチンコ用カードに入力された発行年月日コードを読み取るカードリードライト装置３０と、パチンコ用カードの発行年月日コードを予め記憶しておいた照合データと照合する照合手段と、照合結果が一致したときには遊技を開始し一致しないときには不正カードを返却するカード使用許可禁止手段とを有するパチンコ機の発明が開示されており、該パチンコ機を制御するパチンコ機制御部９０がコンピュータ内蔵のものであることは技術常識である。
　そうすると、刊行物２に記載の発明における、「カードリードライト装置３０」、「照合手段」、「カード使用許可禁止手段」、「パチンコ機」は、それぞれ、本願発明における、「パスワード読取手段」、「比較判別手段」、「許可禁止手段」、「コンピュータ内蔵のパチンコ台」に相当するから、刊行物２に記載の発明には、相違点Ａにかかる本願発明の構成がすべて開示されていると認められる。
　よって、引用発明に示される、パチンコ用カードの正否の判別を島ごとに設置されるコンピュータ内蔵の専用制御機であるカード媒体交換機５００が行う構成に代えて、刊行物２に記載の発明に示される、パチンコ用カードの正否の判別をコンピュータ内蔵のパチンコ台が行う構成を採用して、相違点Ａにかかる本願発明の構成のようにすることは、当業者が容易に想到できるものと認められる。　　　
　ii．相違点Ｂについて
　刊行物２には、前記のように、パチンコ機においてパチンコ用カードの照合を行い、照合結果が一致したときには遊技を開始し一致しないときには不正カードを返却する方式が開示されるとともに、これとは別の方式として中央制御装置４００においてパチンコ用カードの照合を行う方式が開示されているところ、前記中央制御装置４００は複数のパチンコ機を制御する機能において本願発明のメインコンピュータに相当し、このような複数のパチンコ機を制御する前記中央制御装置４００のごときメインコンピュータにおいて各パチンコ機の動作条件を設定制御することは慣用技術（例えば、特開昭６３−２９２９８６号公報参照）であるから、前記中央制御装置４００によりパチンコ用カードの照合を行う方式において対応するパチンコ機を動作又は動作停止する判断をも前記中央制御装置４００にて行わせしめることはシステムの構成として当業者が適宜になしうる設計的事項のものと認められる。
　そうすると、引用発明において、パチンコ用カードの使用許可又は使用禁止に応じて対応するパチンコ台を動作又は動作停止する制御について、前記慣用技術に基づいて刊行物２に記載の発明に示されるメインコンピュータ（中央制御装置４００）により各パチンコ台を動作又は動作停止する動作条件を設定制御するようにして、前記相違点Ｂにかかる本願発明のように構成することは、当業者が容易に想到できるものと認められる。
　iii．相違点Ｃについて
　引用発明は、前記２（１）に摘示の刊行物１の記載によると、当日に遊技者がカード販売機１００でパチンコ用カードを購入した場合には、カード販売機１００が受付機（セキュレータ３００）から当日のパスワードを受けて、新しいパチンコ用カードに前記パスワードを入力して遊技者に発行するので、受付機（セキュレータ３００）を経ることなく直接球貸し操作機６５０へ行ってパスワードが一致すればパチンコ球に交換することができ、また、前日以前に遊技者がカード販売機１００で購入した場合等には、正規のパチンコ用カードであっても受付機（セキュレータ３００）で当日のパスワードを入力した後でなければ、球貸し操作機６５０へ行ってパチンコ球に交換することができないようにするとともに、受付機（セキュレータ３００）においては、前日以前に発行されたパチンコ用カードに限定することなく当該遊技場で当日発行されてカード販売機１００において承認されたパチンコ用カードをも含めてパスワードを照合して承認を行っているものである。
　すなわち、引用発明は遊技者の利便性を考慮して、当日発行されたパチンコ用カードについてはカード販売機１００で受付機（セキュレータ３００）による間接的な承認がなされているから、受付機（セキュレータ３００）によるさらなる直接的な承認を省略できるようにしたにすぎないものであって、パチンコ用カードの承認を偽造防止の観点から厳格に行うには、当該遊技場で使用されるパチンコ用カードのすべてについて受付機（セキュレータ３００）による直接的な承認システムを導入すれば良いことは明らかであり、このようにすることは当業者が適宜になしうる設計的事項のものと認められる。
　そうすると、引用発明において、カード販売機１００又は受付機のいずれかで承認されたパチンコ用カードを使用可能にすることに代えて、受付機で受け付けて承認されたパチンコ用カードのみを使用可能にする構成を採用して、前記相違点Ｃにかかる本願発明のように構成することは、当業者が容易に想到できるものと認められる。
　iv．そして、本願発明における、定期的に変えるパスワードを用いて受付機で承認されたパチンコ用カードのみを使用可能にするとともに、メインコンピュータによりパチンコ機の動作又は動作停止を制御してパチンコ用カードの偽造を防止するという作用効果は、刊行物１及び刊行物２に記載の発明を組み合わせたものに基づいて当業者が当然予測できると認められる。
          
４．むすび
　以上のとおり、本願請求項１の発明は、刊行物１及び刊行物２に記載の発明に基づいて当業者が容易に発明をすることができたものと認められるので、特許法第２９条第２項の規定により特許を受けることができない。
　したがって、他の請求項に係る発明について検討するまでもなく、本願は拒絶すべきものである。
　よって、結論のとおり審決する。